(57)【要約】【課題】  産業廃棄物を風力の吸引力によって効率良く分別し、産業廃棄物のリサイクルに貢献し、かつ大気汚染の恐れもない廃棄物分別装置の吸込み装置を提供する。【解決手段】  廃棄物の分別室１０に取り付けられた送風機２０と、廃棄物の分別室１０の側面に取り付けられ、先端に吸込部３１を備えた吸込み用ダクトホース３０とによって構成され、この吸込み用ダクトホース３０の先端を廃棄物１００を運搬する振動篩装置４０の先端に配置し、振動篩装置４０上の振動している廃棄物１００を分別しながら吸引して廃棄物の分別室１０へ運ぶ廃棄物分別装置。【選択図】図１
0003159023.tif 000002
【実用新案登録請求の範囲】
【請求項１】
廃棄物を運搬する振動篩装置と、前記振動篩装置に隣接して設けた廃棄物の分別室と、前記廃棄物の分別室の上部に構成した送風機と、一端を前記廃棄物の分別室の側面に取り付け、他端を前記振動篩装置の表面に配置した吸込み用ダクトホースとを備え、
前記送風機の吸引力によって、振動篩装置上の廃棄物を分別し、軽量の廃棄物を吸込み用ダクトホースによって廃棄物の分別室に運ぶ廃棄物分別装置。
【請求項２】
前記送風機に、送風用ダクトホースの一端を取り付け、この送風用ダクトホースの他端を前記吸込み用ダクトホースの先端に隣接して配置し、
前記送風用ダクトホースから排出された空気を吸込み用ダクトホースで吸込み、送風機によって送風用ダクトホースへと循環させることを特徴とする請求項１記載の廃棄物分別装置。
【請求項３】
前記吸込み用ダクトホースの先端に、下方に向かって広がった形状の吸込部を構成したことを特徴とする請求項１、２記載の廃棄物分別装置。
【考案の詳細な説明】
【技術分野】
【０００１】
本考案は、送風機の吸引力によって生じる風力を利用して産業廃棄物を効率的に選別する廃棄物分別装置に関するものである。
【背景技術】
【０００２】
家屋やビル等の構造物を取り壊した際等に発生する混合廃棄物は、石や土、コンクリート、ガラス、木材、廃プラスチック、金属等の雑多なものが異なる大きさで含まれている。このような混合廃棄物の種類や大きさ等に応じて分別するために、風力を利用して重量物と軽量物を分別するようにした風力選別機が提案されている。
【０００３】
例えば、特許文献１に示す風力選別機は、混合廃棄物を移送する振動コンベアー（２）と、該振動コンベアーの落下口の下に複数段の送風噴出口（３）を設けてある。また、風力選別した回収資材を収容するコンテナーと前記送風噴出口付近を覆うチャンバー（５）を備え、該チャンバー内を大気圧より僅かに負圧に保つための吸気装置を具備した風力選別機である。
【０００４】
前記特許文献１記載の発明によれば、簡単で確実な選別ができ、作業環境も良好で大気汚染の原因にもならず、極力リサイクルを可能にすることができるとされる。
【先行技術文献】
【特許文献】
【０００５】
【特許文献１】特開２００７−１７５６８３号公報
【０００６】
しかし前記発明によれば、振動コンベアーの落下口の下に送風噴出口（３）を設けて、その風力で落下してくる廃棄物を選別するものであるため、廃棄物の量や質によって選別にばらつきがでることがあると共に、装置が大掛かりとなるなどの問題点があった。
【考案の概要】
【考案が解決しようとする課題】
【０００７】
本考案は、上記課題を解決するために、送風機の吸引力によって生じる風力によって、材質の異なる混合物である産業廃棄物を効率良く分別すると共に分別された軽量の廃棄物を分別室へと運ぶことができ、かつ粉塵も最終段階で集塵して大気汚染の恐れも少ない廃棄物分別装置を提供することを目的とする。
【課題を解決するための手段】
【０００８】
本考案の要旨とするところは、廃棄物を運搬する振動篩装置と、前記振動篩装置に隣接して設けた廃棄物の分別室と、前記廃棄物の分別室の上部に構成した送風機と、一端を前記廃棄物の分別室の側面に取り付け、他端を前記振動篩装置の表面に配置した吸込み用ダクトホースとを備え、前記送風機の吸引力によって、振動篩装置上の廃棄物を分別し、軽量の廃棄物を吸込み用ダクトホースによって廃棄物の分別室に運ぶ廃棄物分別装置である。
【０００９】
本考案の要旨とするところは、前記送風機に、送風用ダクトホースの一端を取り付け、この送風用ダクトホースの他端を前記吸込み用ダクトホースの先端に隣接して配置し、前記送風用ダクトホースから排出された空気を吸込み用ダクトホースで吸込み、送風機によって送風用ダクトホースへと循環させる廃棄物分別装置である。
【００１０】
本考案の要旨とするところは、前記吸込み用ダクトホースの先端に、下方に向かって広がった形状の吸込部を構成した廃棄物分別装置である。
【考案の効果】
【００１１】
請求項１の考案によれば、廃棄物の分別室の上部に構成した送風機の吸引力により振動篩装置上の廃棄物を、効率よく分別すると共に分別された軽量の廃棄物を吸込み用ダクトホースによって廃棄物の分別室に運ぶことができる。
さらに、空気を吸引して作業を行うため、空気の流れが一方向となり乱流が発生せず分別精度が良くなり、産業廃棄物のリサイクルに貢献する等の効果を奏する。
【００１２】
請求項２の考案によれば、前記送風機に送風用ダクトホースの一端を取り付け、その他端を前記吸込み用ダクトホースの先端近傍に配置したから、吸込み用ダクトホースと送風機及び送風用ダクトホースが閉回路を構成し、この回路内で空気を循環させることができる。そのため、微細な廃棄物が外部に排出されず、大気汚染の恐れも少ない等の効果を奏する。
【００１３】
請求項３の考案によれば、前記吸込み用ダクトホースの吸込部の先端を下方に向かって広がった形状としたため、空気が吸込部に吸引されていくときに、吸込部内で渦巻き状の流れとなってスピードを加速させながら上昇し、この上昇力によって大量の廃棄物が迅速に吸込み用ダクトホースを通って分別室へ運ばれるのである。
【図面の簡単な説明】
【００１４】
【図１】本考案の実施形態１の正面図
【図２】本考案の実施形態１の平面図
【図３】本考案の実施形態１の作動説明図
【図４】本考案の実施形態１の分別室の側面図
【図５】本考案の実施形態１の分別室の一部省略平面図
【図６】本考案の実施形態２の正面図
【図７】本考案の実施形態２の平面図
【図８】本考案の実施形態２の作動説明図
【考案を実施するための形態】
【００１５】
廃棄物を運搬する振動篩装置に隣接して廃棄物の分別室を構成する。この廃棄物の分別室の上部に送風機を固定すると共に、側面に先端の吸込部を振動篩装置の表面に配置した吸込み用ダクトホースを取り付ける。
さらに廃棄物の分別室内の上端にミスト発生装置を設けると共に、このミスト発生装置下方にフィルタを取り付ける一方、廃棄物の分別室の底板を開閉可能に構成する。
【００１６】
本考案の実施形態１は図１から図５に示すものである。
本実施形態は、架台９０上に設置した直方体の廃棄物の分別室１０と、この廃棄物の分別室１０の一側板１１ａに固定した吸込み用ダクトホース３０と、前記廃棄物の分別室１０の近傍に設置した廃棄物の運搬手段である振動篩装置４０等からなる。以下、上記構成を図に基づいて詳しく説明する。
【００１７】
前記廃棄物の分別室１０の天板１２には開口部１６を構成する。この開口部１６の上部の天板上には送風機２０を設置する。
そして廃棄物の分別室１０内の上端で前記開口部１６の下方位置にミスト発生装置１８を設ける。さらにこのミスト発生装置１８下方にフィルタ１７を構成する。このフィルタ１７は、開口部１６からの微細な粉塵の流出防止用であるため、廃棄物の分別室１０の上端面全域にわたって構成されている。
【００１８】
前記廃棄物の分別室１０の底板であるデッキ１３は、側板１１ｂの下端に蝶番１４によって開閉自在に取り付けてあり、中央の一側部を外側に延長して突起部１３ａを構成する。
一方、側板１１ｂの表面には前記デッキ１３開閉用のパワーシリンダ１５が設けてあり、このパワーシリンダ１５の先端を、前記デッキ１３の突起部１３ａに固定してある。
【００１９】
吸込み用ダクトホース３０は、一端を廃棄物の分別室１０の側板１１ａに固定し、他端に設けた吸込部３１の先端を振動篩装置４０の前端表面近傍に配置している。また図３に示すように、吸込み用ダクトホース３０の吸込部３１は側板３１ａ、３１ｂ、３１ｃ、３１ｄによって構成されていて、先端に向って広がった形状である。
【００２０】
前記振動篩装置４０は、長尺の篩部４２を架台９１上にスプリング４９を介して前方（図１左方）に向かって低くなるように傾斜して設置し、この篩部４２の中央にバイブレータ４４を備えたものである。
そして、前記篩部４２の後端にホッパー４５を配置し、前端の先端部４１には、前記吸込部３１の先端が配置されている。
【００２１】
上記のように構成した実施形態１の作用を説明する。
まず、産業廃棄物１００をホッパー４５に投入し振動篩装置４０の後端に落下させる。その後バイブレータ４４を作動させると、廃棄物は篩部４２の傾斜に伴って、篩部４２上を前方に向かって移動していく。このとき細かい廃棄物、具体的には２０ｍｍ程度より小さいものは、篩部４２によって落下して堆積物８３となる。これは、土、砂としてリサイクルして使用される。
【００２２】
一方、前記送風機２０を作動させることで、廃棄物の分別室１０と吸込み用ダクトホース３０の中には、図１の矢印に示す空気の流れが形成され吸引力が発生する。
これによって、廃棄物１００が篩部４２の先端部４１に到ったときに、吸込み用ダクトホース３０の先端の吸込部３１に生じている吸引力によって廃棄物は分別され、軽量の廃棄物のみが空気と共に吸引されて吸込み用ダクトホース３０を通って廃棄物の分別室１０に運ばれていく。
ここで軽量の廃棄物とは、手で拾えないような３ｍｍ以下の大きさで比重の小さいもの、例えば、木屑、プラスチックなど可燃性のものを指し、また体積が大きく比重の小さい物も指す。後者は、風量の調整によって吸引できるのである、
【００２３】
このとき、篩部４２上の廃棄物１００は常に振動を与えられているため、篩部４２上を滑りながらあるいは転がりながら運ばれていく。そのため廃棄物１００には静止摩擦は生ぜず動摩擦が生じ、吸込部３１によって容易に分別され吸引されるのである。
前述のように、吸込み用ダクトホース３０の吸込部３１は、下方に向かって広がっているから、空気が吸込部３１に吸引されていくときに、図３に示すように吸込部３１内で渦巻き状の流れとなってスピードを加速させながら上昇していく。
この上昇力によって大量の軽量の廃棄物１００が迅速に吸込み用ダクトホース３０を通って廃棄物の分別室１０へ運ばれるのである。
【００２４】
一方、篩部４２によって運ばれてきた重量の廃棄物、例えば、瓦礫、陶磁器、金属等は、吸込部３１の吸引力によって分別された後、吸引されずにそのまま前方に落下して容器８２に収容される。
このように廃棄物１００は、送風機２０の吸引力の働きで軽量物と重量物とに分別され、かつ軽量物は廃棄物の分別室１０へと運ばれていくのである。
【００２５】
前記のように、吸込み用ダクトホース３０によって吸引された軽量の廃棄物は廃棄物の分別室１０へと運ばれていき、フィルタ１７によって外部への流出が阻止され廃棄物の分別室１０内を落下してデッキ１３上に溜まっていく。
【００２６】
デッキ１３上の廃棄物の滞留が一定量、例えば１立米に達したら、パワーシリンダ１５を作動して、シリンダを縮短してデッキ１３の突起部１３ａを上昇させて、デッキ１３を下方に開くのである（図４仮想線参照）。これによって、デッキ１３上の廃棄物は、廃棄物の分別室１０の下方に落下し容器８１に収容される。
また、デッキ１３が下方に開くと、前記送風機２０は自動的に停止する構成となっている。これによって送風機２０の吸引力がなくなるため、この吸引力でフィルタ１７表面に付着していた軽量の廃棄物は自重で落下していくのである。
このように、デッキ１３の開放によって、フィルタ１７の目詰まりを自動的に防げるのである。
【００２７】
図５に示すように、前記開口部１６の周囲にはミスト発生装置１８を設ける。このミスト発生装置１８は、開口部１６の周囲を囲むようにフィルタ１７の上部に水平に配置された、一端を閉鎖したコ字型のパイプ１８ａからなり、このパイプの表面に所定間隔で孔１８ｂ，１８ｂ・・を穿設してある。
使用に際しては、開放端１８ｃから水道水を、２ｋｇ／ｃｍ2の圧力で送り込み、孔１８ｂ，１８ｂ・・から噴出させる。このとき、開口部１６には下方から上方へ空気が流れていて、孔１８ｂ，１８ｂ・・付近では気圧が低くなっているから、水は勢いよく噴出して細かいミスト（霧）となってフィルタ１７の表面に満遍なく散布されていくのである。
このミストは、廃棄物に付着して空気と共に外部に放出され、廃棄物の分別室内に水滴となって付着することはない。
【００２８】
これによって、フィルタ１７を通過した微細な廃棄物つまり粉塵類は、ミストに付着して落下して外部流出が防げるため、大気汚染が防止されるのである。
このように本実施形態によれば、１台の送風機によって振動篩装置上の廃棄物を分別すると共に、分別された軽量の廃棄物を吸込み用ダクトホースによって廃棄物の分別室に運ぶことができるのである。
【００２９】
本考案の実施形態２を図６ないし図８に基づいて説明する。
本実施形態は、前記実施形態１の廃棄物分別装置に、送風用ダクトホースを取り付けたものである。
この構成を図に基づいて説明すると、図６、図７に示すように、前記送風機２０の側面に送風用ダクトホース５０の一端を取り付け、この送風用ダクトホース５０の先端を、前記吸込み用ダクトホース３０の先端の吸込部３１の後方（図６右方）に配置する。本実施形態の送風機２０は、廃棄物の分別室１０から吸込んだ空気を外部へ排出せず送風用ダクトホース５０へと循環できる構造である。その他の構成は、実施形態１と同様のため説明を省略する。
【００３０】
本実施形態の作用を説明する。
送風機２０を作動させると、前記実施形態１で述べたように、吸込み用ダクトホース３０先端から分別された軽量の廃棄物１００と空気が吸込まれて廃棄物の分別室１０に運ばれ、廃棄物は廃棄物の分別室１０内に蓄積され、空気は外部に排出されずに、送風機２０によって再び送風用ダクトホース５０に送られる。
その後、送風用ダクトホース５０の先端から噴出した空気は、図８に示すように、吸込み用ダクトホース３０の先端の吸込部３１から吸い込まれていく。
【００３１】
このように、吸込み用ダクトホース３０によって吸込まれた空気は、吸込み用ダクトホース３０と送風機２０と送風用ダクトホース５０で構成された閉回路の中を、図６の矢印で示すように循環していくため、微細なホコリも外に排出されず、大気汚染の恐れがなくなるのである。
【符号の説明】
【００３２】
１０  廃棄物の分別室
１２  天板
１３  デッキ（底板）
１４  蝶番
１５  パワーシリンダ
１６  開口部
１７  フィルタ
１８  ミスト発生装置
２０  送風機
３０  吸込み用ダクトホース
３１  吸込部
４０  振動篩装置
４１  先端部
４２  篩部
４４  バイブレータ
４９  スプリング
５０  送風用ダクトホース
１００  廃棄物（産業廃棄物）
【図１】
0003159023.tif 000003
【図２】
0003159023.tif 000004
【図３】
0003159023.tif 000005
【図４】
0003159023.tif 000006
【図５】
0003159023.tif 000007
【図６】
0003159023.tif 000008
【図７】
0003159023.tif 000009
【図８】
0003159023.tif 000010
【手続補正書】
【提出日】平成22年2月19日(2010.2.19)
【手続補正１】
【補正対象書類名】実用新案登録請求の範囲
【補正対象項目名】請求項３
【補正方法】変更
【補正の内容】
【請求項３】
前記吸込み用ダクトホースの先端に、下方に向かって広がった形状の吸込部を構成したことを特徴とする請求項１または２記載の廃棄物分別装置。